(57)【要約】ＬＥＤドライバ回路（７０、８０）は、スイッチングＬＥＤセル（３０乃至３２、４０乃至４２）に電力変換周波数における電力を供給するための電源（ＩＳ、ＶＳ）を用いる。スイッチングＬＥＤセル（３０乃至３２、４０乃至４２）はＬＥＤ駆動周波数において放射モードと動作不能モードとの間でスイッチングする。放射モードにおいて、スイッチングＬＥＤセル（３０乃至３２、４０乃至４２）は、ＬＥＤ（Ｌ１１乃至ＬＸＹ）から色の光を放射するために１つ又はそれ以上のＬＥＤ（Ｌ１１乃至ＬＸＹ）を通る電源（ＩＳ、ＶＳ）からのＬＥＤ電流の流れを制御する。動作不能モードにおいて、スイッチングＬＥＤセル（３０乃至３２、４０乃至４２）は、ＬＥＤ（Ｌ１１乃至ＬＸＹ）を通る電源（ＩＳ、ＶＳ）からのＬＥＤ電流の流れを遅らせる。【特許請求の範囲】
【請求項１】
ＬＥＤ駆動回路であって：
第１周波数において電力を与えるように動作する電源；及び
第１の少なくとも１つのＬＥＤを通って流れる第１ＬＥＤ電流に応じて光の第１色を放射するように動作する前記の第１の少なくとも１つのＬＥＤを有する第１スイッチングＬＥＤセル；
を有するＬＥＤ駆動回路であり、
前記第１スイッチングＬＥＤセルは第２周波数において第１放射モードと第１動作不能モードとの間でスイッチングされるように動作し；
前記第１放射モード中、前記第１スイッチングＬＥＤセルは前記の第１の少なくとも１つのＬＥＤを通る前記電源からの前記第１ＬＥＤ電流の流れを制御し；そして
前記第１動作不能モード中、前記第１スイッチングＬＥＤセルは前記の第１の少なくとも１つのＬＥＤを通る前記電源からの前記第１ＬＥＤ電流の流れを遅らせる；
ことを特徴とするＬＥＤ駆動回路。
【請求項２】
請求項１に記載のＬＥＤ駆動回路であって：
第２の少なくとも１つのＬＥＤを通って流れる第２ＬＥＤ電流に応じて光の第２色を放射するように動作する前記の第２の少なくとも１つのＬＥＤを有する第２スイッチングＬＥＤセル；
を更に有するＬＥＤ駆動回路であり、
前記第２スイッチングＬＥＤセルは第３周波数において第２放射モードと第２動作不能モードとの間でスイッチングされるように動作し；
前記第２放射モード中、前記第２スイッチングＬＥＤセルは前記の第２の少なくとも１つのＬＥＤを通る前記電源からの前記第２ＬＥＤ電流の流れを制御し；そして
前記第２動作不能モード中、前記第２スイッチングＬＥＤセルは前記の第２の少なくとも１つのＬＥＤを通る前記電源からの前記第２ＬＥＤ電流の流れを遅らせる；
ことを特徴とするＬＥＤ駆動回路。  
【請求項３】
請求項２に記載のＬＥＤ駆動回路であって：
第３の少なくとも１つのＬＥＤを通って流れる第３ＬＥＤ電流に応じて光の第３色を放射するように動作する前記の第３の少なくとも１つのＬＥＤを有する第３スイッチングＬＥＤセル；
を更に有するＬＥＤ駆動回路であり、
前記第３スイッチングＬＥＤセルは第４周波数において第３放射モードと第３動作不能モードとの間でスイッチングされるように動作し；
前記第３放射モード中、前記第３スイッチングＬＥＤセルは前記の第３の少なくとも１つのＬＥＤを通る前記電源からの前記第３ＬＥＤ電流の流れを制御し；そして
前記第３動作不能モード中、前記第１スイッチングＬＥＤセルは前記の第３の少なくとも１つのＬＥＤを通る前記電源からの前記第３ＬＥＤ電流の流れを遅らせる；
ことを特徴とするＬＥＤ駆動回路。
【請求項４】
請求項１に記載のＬＥＤ駆動回路であって：
第２の少なくとも１つのＬＥＤを通って流れる第１ＬＥＤ電流に応じて光の第２色を放射するように動作する前記の第２の少なくとも１つのＬＥＤを有する第２スイッチングＬＥＤセル；
を更に有するＬＥＤ駆動回路であり、
前記第１スイッチングセル及び前記第２スイッチングＬＥＤセルは前記第２周波数において前記第１放射モードと前記第１動作不能モードとの間でスイッチングされるように動作し；
前記第２放射モード中、前記第１スイッチングＬＥＤセル及び前記第２スイッチングＬＥＤセルは前記の第１の少なくとも１つのＬＥＤ及び前記の第２の少なくとも１つのＬＥＤを通る前記電源からの前記第１ＬＥＤ電流の流れを制御し；そして
前記第２動作不能モード中、前記第１スイッチングＬＥＤセル及び前記第２スイッチングＬＥＤセルは前記の第１の少なくとも１つのＬＥＤ及び前記の第２の少なくとも１つのＬＥＤを通る前記電源からの前記第１ＬＥＤ電流の流れを遅らせる；
ことを特徴とするＬＥＤ駆動回路。
【請求項５】
請求項４に記載のＬＥＤ駆動回路であって：
第３の少なくとも１つのＬＥＤを通って流れる第２ＬＥＤ電流に応じて光の第３色を放射するように動作する前記の第３の少なくとも１つのＬＥＤを有する第３スイッチングＬＥＤセル；
を更に有するＬＥＤ駆動回路であり、
前記第３スイッチングＬＥＤセルは第３周波数において第２放射モードと第２動作不能モードとの間でスイッチングされるように動作し；
前記第２放射モード中、前記第３スイッチングＬＥＤセルは前記の第３の少なくとも１つのＬＥＤを通る前記電源からの前記第２ＬＥＤ電流の流れを制御し；そして
前記第２動作不能モード中、前記第２スイッチングＬＥＤセルは前記の第３の少なくとも１つのＬＥＤを通る前記電源からの前記第２ＬＥＤ電流の流れを遅らせる；
ことを特徴とするＬＥＤ駆動回路。
【請求項６】
請求項４に記載のＬＥＤ駆動回路であって：
第３の少なくとも１つのＬＥＤを通って流れる第１ＬＥＤ電流に応じて光の第３色を放射するように動作する前記の第３の少なくとも１つのＬＥＤを有する第３スイッチングＬＥＤセル；
を更に有するＬＥＤ駆動回路であり、
前記第１スイッチングＬＥＤセル、前記第２スイッチングＬＥＤセル及び前記第３スイッチングＬＥＤセルは第２周波数において第１放射モードと第１動作不能モードとの間でスイッチングされるように動作し；
前記第１放射モード中、前記第１スイッチングＬＥＤセル、前記第２スイッチングＬＥＤセル及び前記第３スイッチングＬＥＤセルは、前記の第１の少なくとも１つのＬＥＤ、前記の第２の少なくとも１つのＬＥＤ及び前記の第３の少なくとも１つのＬＥＤを通る前記電源からの前記第１ＬＥＤ電流の流れを制御し；そして
前記第２動作不能モード中、前記第１スイッチングＬＥＤセル、前記第２スイッチングＬＥＤセル及び前記第３スイッチングＬＥＤセルは、前記の第１の少なくとも１つのＬＥＤ、前記の第２の少なくとも１つのＬＥＤ及び前記の第３の少なくとも１つのＬＥＤを通る前記電源からの前記第１ＬＥＤ電流の流れを制御する
ことを特徴とするＬＥＤ駆動回路。
【請求項７】
スイッチングＬＥＤセルであって：
入力端子；
出力端子；及び
少なくとも１つのＬＥＤを通って流れるＬＥＤ電流に応じて第１色の光を放射するように動作する前記の少なくとも１つのＬＥＤ；
を有するスイッチングＬＥＤセルであり、
前記スイッチングＬＥＤセルはＬＥＤ駆動周波数において放射モードと動作不能モードとの間でスイッチングされるように動作し；
前記放射モードは、電源が前記入力端子と前記出力端子との間に備えられるときはいつでも、前記の少なくとも１つのＬＥＤを通る前記電源からの前記ＬＥＤ電流の流れを制御するためのモードであり；
前記動作無効モードは、前記電源が前記入力端子と前記出力端子との間に備えられるときはいつでも、第２の少なくとも１つのＬＥＤを通る前記電源からの前記ＬＥＤ電流の流れを遅らせるためのモードである；
ことを特徴とするスイッチングＬＥＤセル。
【請求項８】
請求項７に記載のスイッチングＬＥＤセルであって：
前記放射モード中は閉状態であるように及び前記動作不能モード中は開状態であるように動作する少なくとも１つのスイッチ；
を更に有する、ことを特徴とするスイッチングＬＥＤセル。
【請求項９】
請求項７に記載のスイッチングＬＥＤセルであって：
前記放射モード中は開状態であるように及び前記動作不能モード中は閉状態であるように動作する少なくとも１つのスイッチ；
を更に有する、ことを特徴とするスイッチングＬＥＤセル。
【請求項１０】
請求項９に記載のスイッチングＬＥＤセルであって：
前記放射モード中は開状態であるように及び前記動作不能モード中は閉状態であるように動作する第１の少なくとも１つのスイッチ；並びに
前記放射モード中は閉状態であるように及び前記動作不能モード中は開状態であるように動作する第２の少なくとも１つのスイッチ；
を更に有する、ことを特徴とするスイッチングＬＥＤセル。
【発明の詳細な説明】
【技術分野】
【０００１】
本発明は、一般に、発光ダイオード（ＬＥＤ）に関する。本発明は、詳細には、白色光を有する種々の色の光の生成において複数のＬＥＤを動作するための駆動回路構成のファミリーに関する。
【背景技術】
【０００２】
当該技術分野において周知であるように、赤色ＬＥＤ、緑色ＬＥＤ、青色ＬＥＤ及びアンバーＬＥＤが、種々の用途（例えば、液晶のバックライト、白色光照明において、白色光を有する種々の色の光を生成するために用いられる。）所望の色の光を生成するために、各々の着色ＬＥＤは、所望の色の光（例えば、５０％赤色、２０％青色、２０％緑色及び１０％アンバー）を生成するために適切な比の赤色、緑色、青色及びアンバーの光を生成するように独立して制御される。このために、各々の着色ＬＥＤは、従来、それら自体のドライバ回路により動作されてきた。例えば、米国特許第６，５０７，１５９号明細書において、赤色ＬＥＤ、緑色ＬＥＤ、青色ＬＥＤそれぞれを制御する３つのＬＥＤドライバについて開示されている。
【発明の開示】
【発明が解決しようとする課題】
【０００３】
本発明は、複数のＬＥＤのための独立した光制御容量を有する単一ドライバ回路を提供する。
【課題を解決するための手段】
【０００４】
本発明の一実施形態は、電源とスイッチングＬＥＤセルとを有するＬＥＤドライバ回路であって、そのスイッチングＬＥＤセルは何れの色の光を放射するための１つ又はそれ以上のＬＥＤを用いている、ＬＥＤドライバ回路である。動作中、電源は電力変換周波数において電力を与え、スイッチングＬＥＤセルは、ＬＥＤ駆動周波数において放射モードと動作不能モードとの間でスイッチングする。放射モード中、ＬＥＤ電流がＬＥＤを通って電源から流れ、それにより、ＬＥＤは光を放射する。動作不能モード中、電源からＬＥＤを通って流れる電流は遅れ、ＬＥＤからの光の放射を妨げる。
【０００５】
本発明の第２実施形態は、何れの色の光を放射するために、入力端子、出力端子及び１つ又はそれ以上のＬＥＤを有するスイッチングＬＥＤセルである。スイッチングＬＥＤ
セルは、ＬＥＤ駆動周波数において放射モードと動作不能モードとの間でスイッチングする。放射モード中、ＬＥＤ電流が、ＬＥＤを通って入力端子と出力端子との間に備えられた電源から流れ、それにより、ＬＥＤは光を放射する。動作不能モード中、電源からＬＥＤを通って流れる電流は遅れ、ＬＥＤからの光の放射を妨げる。
【０００６】
本発明の上記の実施形態及び他の形態、特徴並びに有利点については、添付図面を参照して、以下の好適な実施形態の詳細説明から更に明らかになるであろう。それらの詳細説明及び添付図は制限的なものではなく、本発明の単なる例示であり、本発明の範囲は、同時提出の特許請求の範囲及びそれらと同等である範囲により規定される。
【発明を実施するための最良の形態】
【０００７】
図１乃至６及び図１２乃至１７は、本発明の電流電源駆動スイッチングＬＥＤセル（図１乃至６）又は電圧電源駆動スイッチングＬＥＤセルをデザインするためのベースラインＬＥＤマトリクスＬ１１乃至ＬＸＹを示している。何れかのスイッチングＬＥＤセルのＬＥＤデザインも、（１）ＬＥＤマトリクスＬ１１乃至ＬＸＹ内の１つ又はそれ以上のＬＥＤの選択と、（２）ＬＥＤマトリクスＬ１１乃至ＬＸＹから選択された各々のＬＥＤについての色の選択と、（３）複数のＬＥＤの実施形態に対する、ＬＥＤマトリクスＬ１１乃至ＬＸＹから選択された複数のＬＥＤの１つ又はそれ以上の直列接続及び／又は並列接続の選択とを有し、ここで、Ｘ≧１、Ｙ≧１である。複数のＬＥＤを用いる何れのスイッチングＬＥＤセルの実施形態に対して、類似する動作電流仕様を有するＬＥＤは、好適には、並列に接続される。当業者は、本発明のスイッチングＬＥＤセルのＬＥＤデザインには制限がないことを理解するであろう。
【０００８】
図１及び２は、ＬＥＤマトリクスＬ１１乃至ＬＸＹに直列に接続されたスイッチＳＷ１（例えば、半導体スイッチ）と、ＬＥＤマトリクスＬ１１乃至ＬＸＹに並列に接続されたスイッチＳＷ２（例えば、半導体スイッチ）とを更に用いるベースライン電流電源駆動スイッチングＬＥＤセル３０を示している。セル３０の理解を容易にするために、以下のセル３０についての説明は、ＬＥＤマトリクスＬ１１乃至ＬＸＹ内に各々のＬＥＤを含むことに基づいている。しかしながら、実際には、セル３０に基づく電流電源駆動スイッチングＬＥＤセルのセルデザインは、当業者により理解されるであろうように、ＬＥＤマトリクスＬ１１乃至ＬＸＹからＬＥＤの何れの構成及び何れの数を有することができる。
【０００９】
図１に示すようなセル３０の放射モードにおいては、スイッチＳＷ１は閉状態であり、スイッチＳＷ２は開状態であり、それにより、電流ｉＰＭ１は、入力端子ＩＮ１と、スイッチＳＷ１と、ＬＥＤマトリクスＬ１１乃至ＬＸＹと、出力端子ＯＵＴ１とを通って連続して流れ、それ故、選択されたＬＥＤの色に依存して色の光を放射する。図２において示されているセル３０の動作不能モードにおいては、スイッチＳＷ１は開状態であり、スイッチＳＷ２は閉状態であり、それ故、ＬＥＤマトリクスＬ１１乃至ＬＸＹを通って流れる電流ｉＰＭ１を遅らせ、それにより、ＬＥＤは色の光を放射しない。電流ｉＰＭ１は、ＬＥＤ駆動周波数（例えば、２００Ｈｚ）においてスイッチＳＷ１及びＳＷ２の完全な開状態及び閉状態のためにパルス変調電流を構成し、このような状態は、当業者に理解されるであろうように、従来技術により達成されることができる。
【００１０】
スイッチングＬＥＤセル３０についての複数のＬＥＤの実施形態は、ＬＥＤマトリクスＬ１１乃至ＬＸＹのＬＥＤ群に亘って分配された１つ又はそれ以上の付加スイッチ（例えば、半導体スイッチ）を更に含むことができ、それにより、ＬＥＤにより放射される光の色レベル及び／又は色強度は、図１及び２に示されているスイッチＳＷ１及びＳＷ２の開状態及び閉状態に対する付加スイッチの開状態及び閉状態に依存して変えられる。そのような複数のＬＥＤの実施形態は、同じ又は異なるＬＥＤ駆動周波数においてスイッチＳＷ１及びＳＷ２並びに付加スイッチを動作することが可能である。電流ｉＰＭ１は、付加スイッチが異なるＬＥＤ駆動周波数で個別に動作される又は異なるＬＥＤ駆動周波数で複数の群において動作される実施形態における種々のＬＥＤ駆動周波数における複数のパルス変調電流を有することが可能である。
【００１１】
図３及び４は、ＬＥＤマトリクスＬ１１乃至ＬＸＹに接続されたスイッチＳＷ１１乃至ＳＷ１Ｙ（例えば、半導体スイッチ）の回路構成を用いるベースライン電流電源駆動スイッチングＬＥＤセル３１を示している。セル３１は、ＬＥＤマトリクスＬ１１乃至ＬＸＹとスイッチＳＷ１１乃至ＳＷ１Ｙの回路構成に対して並列に接続されたスイッチＳＷ２（例えば、半導体スイッチ）を更に用いている。セル３１の理解を容易にするために、以下のセル３１の動作モードについての説明は、ＬＥＤマトリクスＬ１１乃至ＬＸＹ内の各々のＬＥＤ及び各々のスイッチＳＷ１１乃至ＳＷ１Ｙを含むことに基づいている。しかしながら、実際には、セル３１に基づく電流電源駆動スイッチングＬＥＤセルのセルデザインは、当業者により理解されるであろうように、ＬＥＤマトリクスＬ１１乃至ＬＸＹのＬＥＤ及びスイッチＳＷ１１乃至ＳＷ１Ｙの何れの構成及び何れの数を有することができる。
【００１２】
図３に示すようなセル３１の放射モードにおいては、スイッチＳＷ３は開状態であり、スイッチＳＷ１１乃至ＳＷ１Ｙは閉状態であり、それにより、電流ｉＰＭ１は、入力端子ＩＮ２と、スイッチＳＷ１１乃至ＳＷ１Ｙと、ＬＥＤマトリクスＬ１１乃至ＬＸＹと、出力端子ＯＵＴ２とを通って連続して流れ、それ故、選択されたＬＥＤの色に依存して色の光を放射する。図４において示されているセル３１の動作不能モードにおいては、スイッチＳＷ３は閉状態であり、スイッチＳＷ１１乃至ＳＷ１Ｙは開状態であり、それ故、ＬＥＤマトリクスＬ１１乃至ＬＸＹを通って流れる電流ｉＰＭ１を遅らせ、それにより、ＬＥＤは色の光を放射しない。又、電流ｉＰＭ１は、ＬＥＤ駆動周波数（例えば、２００Ｈｚ）においてスイッチＳＷ１１乃至ＳＷ１Ｙ及びＳＷ３の完全な開状態及び閉状態のためにパルス変調電流を構成し、このような状態は、当業者に理解されるであろうように、従来技術により達成されることができる。代替としてのセル３１の動作の実施形態においては、スイッチＳＷ１１乃至ＳＷ１Ｙは、異なるＬＥＤ駆動周波数において群の状態で動作され又は異なるＬＥＤ駆動周波数において個別に動作されることができる。そのような場合、電流ｉＰＭ１は、可変ＬＥＤ駆動周波数において複数のパルス変調電流を有することが可能である。
【００１３】
スイッチングＬＥＤセル３１の実施形態は、ＬＥＤマトリクスＬ１１乃至ＬＸＹに亘って分配された１つ又はそれ以上の付加スイッチ（例えば、半導体スイッチ）を更に含むことができ、それにより、光の色レベル及び／又は色強度は、図３及び４に示されているスイッチＳＷ１１乃至ＳＷ１Ｙ及びＳＷ３の開状態及び閉状態に対する付加スイッチの開状態及び閉状態に依存して変えられる。そのような複数のＬＥＤの実施形態は、同じ又は異なるＬＥＤ駆動周波数においてスイッチスイッチＳＷ１１乃至ＳＷ１Ｙ及びＳＷ３並びに付加スイッチを動作することが可能である。電流ｉＰＭ１は、付加スイッチが異なるＬＥＤ駆動周波数で個別に動作される又は異なるＬＥＤ駆動周波数で複数の群において動作される実施形態における種々のＬＥＤ駆動周波数における複数のパルス変調電流を有することが可能である。
【００１４】
図５及び６は、ＬＥＤマトリクスＬ１１乃至ＬＸＹに接続されたスイッチＳＷ１１乃至ＳＷ１Ｙ（例えば、半導体スイッチ）の回路構成を用いるベースライン電流電源駆動スイッチングＬＥＤセル３２を示している。セル３２の理解を容易にするために、以下のセル３２の動作モードについての説明は、ＬＥＤマトリクスＬ１１乃至ＬＸＹ内の各々のＬＥＤ及び各々のスイッチＳＷ１１乃至ＳＷ１Ｙを含むことに基づいている。しかしながら、実際には、セル３２に基づく電流電源駆動スイッチングＬＥＤセルのセルデザインは、当業者により理解されるであろうように、ＬＥＤマトリクスＬ１１乃至ＬＸＹのＬＥＤ及びスイッチＳＷ１１乃至ＳＷ１Ｙの何れの構成及び何れの数を有することができる。
【００１５】
図５に示すようなセル３２の放射モードにおいては、スイッチＳＷ１１乃至ＳＷＸ１は開状態であり、それにより、電流ｉＰＭ１は、入力端子ＩＮ３と、ＬＥＤマトリクスＬ１１乃至ＬＸＹと、出力端子ＯＵＴ３とを通って連続して流れ、それ故、選択されたＬＥＤの色に依存して色の光を放射する。図６において示されている動作不能モードにおいては、選択されたスイッチＳＷ１１乃至ＳＷＸ１は閉状態であり、それ故、ＬＥＤマトリクスＬ１１乃至ＬＸＹを通って流れる電流ｉＰＭ１を遅らせ、それにより、ＬＥＤは色の光を放射しない。又、電流ｉＰＭ１は、ＬＥＤ駆動周波数（例えば、２００Ｈｚ）においてスイッチＳＷ１１乃至ＳＷＸ１の完全な開状態及び閉状態のためにパルス変調電流を構成し、このような状態は、当業者に理解されるであろうように、従来技術により達成されることができる。代替としてのセル３２の動作の実施形態においては、スイッチＳＷ１１乃至ＳＷＸ１は、異なるＬＥＤ駆動周波数において群の状態で動作され又は異なるＬＥＤ駆動周波数において個別に動作されることができる。そのような場合、電流ｉＰＭ１は、可変ＬＥＤ駆動周波数において複数のパルス変調電流を有することが可能である。
【００１６】
スイッチングＬＥＤセル３２の実施形態は、選択されたＬＥＤに亘って分配された１つ又はそれ以上の付加スイッチ（例えば、半導体スイッチ）を更に含むことができ、それにより、光の色レベル及び／又は色強度は、図５及び６に示されているスイッチＳＷ１１乃至ＳＷＸ１の開状態及び閉状態に対する付加スイッチの開状態及び閉状態に依存して変えられる。そのような複数のＬＥＤの実施形態は、同じ又は異なるＬＥＤ駆動周波数においてスイッチスイッチＳＷ１１乃至ＳＷＸ１及び付加スイッチを動作することが可能である。電流ｉＰＭ１は、付加スイッチが異なるＬＥＤ駆動周波数で個別に動作される又は異なるＬＥＤ駆動周波数で複数の群において動作される実施形態における種々のＬＥＤ駆動周波数における複数のパルス変調電流を有することが可能である。
【００１７】
図１乃至６を参照するに、電流電源と電流電源駆動スイッチングＬＥＤセル３０乃至３２の１つとを用いる、本発明の電流電源ＬＥＤドライバの数及び構成には制限がない。図７乃至１１は、本発明の電流電源ＬＥＤドライバの幾つかの例示としての実施形態を示している。
【００１８】
図７は、バッテリＢ１、半導体スイッチＱ１、ダイオードＤ１及びインダクタＬ１の既知の配置を有するＢｕｃｋ型コンバータ方式にある電流電源ＣＳ１を用いている電流電源ＬＥＤドライバ４０を示している。電流電源ＣＳ１は、当業者には理解できるであろうように、電力変換周波数（例えば、１００ｋＨｚ）において半導体スイッチＱ１のゲートへのゲート信号の供給により、従来から動作されている。
【００１９】
図８は、バッテリＢ２、インダクタＬ２、半導体スイッチＱ２、コンデンサＣ１、ダイオードＤ２及びインダクタＬ３の既知の配置を有するＣｕｋ型コンバータ方式にある電流電源ＣＳ２を用いている電流電源ＬＥＤドライバ４１を示している。電流電源ＣＳ２は、当業者には理解できるであろうように、電力変換周波数（例えば、１００ｋＨｚ）において半導体スイッチＱ２のゲートへのゲート信号の供給により、従来から動作されている。
【００２０】
図９は、バッテリＢ３、半導体スイッチＱ３、インダクタＬ４、コンデンサＣ２、ダイオードＤ３及びインダクタＬ５の既知の配置を有するＺｅｔａ型コンバータ方式にある電流電源ＣＳ３を用いている電流電源ＬＥＤドライバ４２を示している。電流電源ＣＳ３は、当業者には理解できるであろうように、電力変換周波数（例えば、１００ｋＨｚ）において半導体スイッチＱ３のゲートへのゲート信号の供給により、従来から動作されている。
【００２１】
図１０は、バッテリＢ４、トランスＴ１、半導体スイッチＱ４、ダイオードＤ４、ダイオードＤ５及びインダクタＬ６の既知の配置を有するフォワードコンバータ方式にある電流電源ＣＳ４を用いている電流電源ＬＥＤドライバ４３を示している。ドライバ４３は、セル３２（図５及び６）のバージョン３２ａを更に用いている。電流電源ＣＳ４は、当業者には理解できるであろうように、電力変換周波数（例えば、１００ｋＨｚ）において半導体スイッチＱ４のゲートへのゲート信号の供給により、従来から動作されている。
【００２２】
図７乃至１０を参照するに、ドライバ４０乃至４３は、スイッチＳＷ１１乃至ＳＷ４１とＬＥＤＬ１１乃至Ｌ４１の例示としての回路構成を有するセル３２（図３及び４）のバージョン３２ａを更に用いている。ＬＥＤＬ１１、ＬＥＤＬ２１、ＬＥＤＬ３１及び／又はＬＥＤＬ４１は、付加スイッチを有することが可能である何れの所望の回路構成における複数のＬＥＤとして実施されることができる。一実施形態においては、ＬＥＤＬ１１は１つ又はそれ以上の赤色ＬＥＤを有し、ＬＥＤＬ２１は緑色ＬＥＤを有し、ＬＥＤＬ３１は青色ＬＥＤを有し、そしてＬＥＤＬ４１は１つ又はそれ以上のアンバーＬＥＤを有する。
【００２３】
セル３２ａは、１つ又はそれ以上のスイッチＳＷ１１乃至ＳＷ４１の選択的動作を有する、セル３２ａの各々の放射モードを有する１５個の放射モードを有し、それにより、電流ｉＰＭ１は１つ又はそれ以上のＬＥＤＬ１１乃至Ｌ４１を通って流れ、それにより、どのＬＥＤＬ１１乃至Ｌ４１が光を放射しているかに依存して、色の光を放射する。セル３２ａの動作不能モードにおいては、スイッチＳＷ１１乃至ＳＷ４１は閉状態であり、それ故、ＬＥＤＬ１１乃至Ｌ４１を通って流れる電流ｉＰＭ１を遅らせ、それにより、ＬＥＤＬ１１乃至Ｌ４１は色の光を放射しない。セル３２ａは、スイッチＳＷ１１乃至ＳＷ４１に選択的に供給される従来の制御信号に依存して、ＬＥＤ駆動周波数（例えば、２００Ｈｚ）において、放射モードの１つと動作不能モードとの間でスイッチングする。代替のセル３２ａの動作モードにおいては、スイッチＳＷ１１乃至ＳＷ４１は、異なるＬＥＤ駆動周波数において個別に動作される又は異なるＬＥＤ駆動周波数において群の状態で動作されることができる。そのような場合、電流ｉＰＭ１は、可変ＬＥＤ駆動周波数において複数のパルス変調電流を有することが可能である。
【００２４】
図１１は、スイッチＳＷ３、スイッチＳＷ１１乃至ＳＷ１４及びＬＥＤＬ１１乃至Ｌ１４の例示としての回路構成を有するセル３１（図３及び４）のバージョン３１ａと電流電源ＣＳ１とを用いている電流電源ＬＥＤドライバ４４を示している。ＬＥＤＬ１１、ＬＥＤＬ１２、ＬＥＤＬ１３及び／又はＬＥＤＬ１４は、付加スイッチを有することが可能である何れの所望の回路構成における複数のＬＥＤとして実施されることができる。一実施形態においては、ＬＥＤＬ１１は１つ又はそれ以上の赤色ＬＥＤを有し、ＬＥＤＬ１２は緑色ＬＥＤを有し、ＬＥＤＬ１３は青色ＬＥＤを有し、そしてＬＥＤＬ１４は１つ又はそれ以上のアンバーＬＥＤを有する。
【００２５】
セル３１ａは、１つ又はそれ以上のスイッチＳＷ１１乃至ＳＷ１４の選択的閉状態化及びＳＷ３の開状態化を有する、セル３１ａの各々の放射モードを有する１５個の放射モードを有し、それにより、電流ｉＰＭ１は１つ又はそれ以上のＬＥＤＬ１１乃至Ｌ１４を通って流れ、それにより、どのＬＥＤＬ１１乃至Ｌ１４が光を放射しているかに依存して、色の光を放射する。セル３１ａの動作不能モードにおいては、スイッチＳＷ１１乃至ＳＷ１４は閉状態であり、それ故、ＬＥＤＬ１１乃至Ｌ１４を通って流れる電流ｉＰＭ１を遅らせ、それにより、ＬＥＤＬ１１乃至Ｌ１４は色の光を放射しない。セル３１ａは、スイッチＳＷ１１乃至ＳＷ１４に選択的に供給される従来の制御信号に依存して、ＬＥＤ駆動周波数（例えば、２００Ｈｚ）において、放射モードの１つと動作不能モードとの間でスイッチングする。代替のセル３１ａの動作モードにおいては、スイッチＳＷ１１乃至ＳＷ１４は、異なるＬＥＤ駆動周波数において個別に動作される又は異なるＬＥＤ駆動周波数において群の状態で動作されることができる。そのような場合、電流ｉＰＭ１は、可変ＬＥＤ駆動周波数において複数のパルス変調電流を有することが可能である。
【００２６】
図１２及び１３は、ＬＥＤマトリクスＬ１１乃至ＬＸＹに並列に接続されたスイッチＳＷ５（例えば、半導体スイッチ）と、スイッチＳＷ５とＬＥＤマトリクスＬ１１乃至ＬＸＹの並列接続に対して直列に接続されたスイッチＳＷ４（例えば、半導体スイッチ）とを更に用いるベースライン電圧電源駆動スイッチングＬＥＤセル５０を示している。セル５０の理解を容易にするために、以下のセル５０についての説明は、ＬＥＤマトリクスＬ１１乃至ＬＸＹ内に各々のＬＥＤを含むことに基づいている。しかしながら、実際には、セル３０に基づく電圧電源駆動スイッチングＬＥＤセルのセルデザインは、当業者により理解されるであろうように、ＬＥＤマトリクスＬ１１乃至ＬＸＹからＬＥＤの何れの構成及び何れの数を有することができる。
【００２７】
図１２に示すようなセル５０の放射モードにおいては、スイッチＳＷ４は閉状態であり、スイッチＳＷ５は開状態であり、それにより、電流ｉＰＭ１は、入力端子ＩＮ４と、スイッチＳＷ４と、ＬＥＤマトリクスＬ１１乃至ＬＸＹと、出力端子ＯＵＴ４とを通って連続して流れ、それ故、選択されたＬＥＤの色に依存して色の光を放射する。図１３において示されているセル５０の動作不能モードにおいては、スイッチＳＷ４は開状態であり、スイッチＳＷ５は閉状態であり、それ故、ＬＥＤマトリクスＬ１１乃至ＬＸＹを通って流れる電流ｉＰＭ１を遅らせ、それにより、ＬＥＤは色の光を放射しない。電流ｉＰＭ１は、ＬＥＤ駆動周波数（例えば、２００Ｈｚ）においてスイッチＳＷ４及びＳＷ５の完全な開状態及び閉状態のためにパルス変調電流を構成し、このような状態は、当業者に理解されるであろうように、従来技術により達成されることができる。
【００２８】
スイッチングＬＥＤセル５０についての複数のＬＥＤの実施形態は、ＬＥＤマトリクスＬ１１乃至ＬＸＹのＬＥＤ群に亘って分配された１つ又はそれ以上の付加スイッチ（例えば、半導体スイッチ）を更に含むことができ、それにより、ＬＥＤにより放射される光の色レベル及び／又は色強度は、図１２及び１３に示されているスイッチＳＷ４及びＳＷ５の開状態及び閉状態に対する付加スイッチの開状態及び閉状態に依存して変えられる。そのような複数のＬＥＤの実施形態は、同じ又は異なるＬＥＤ駆動周波数においてスイッチＳＷ４及びＳＷ５並びに付加スイッチを動作することが可能である。電流ｉＰＭ２は、付加スイッチが異なるＬＥＤ駆動周波数で個別に動作される又は異なるＬＥＤ駆動周波数で複数の群において動作される実施形態における種々のＬＥＤ駆動周波数における複数のパルス変調電流を有することが可能である。
【００２９】
図１４及び１５は、ＬＥＤマトリクスＬ１１乃至ＬＸＹに接続されたスイッチＳＷ１１乃至ＳＷ１Ｙ（例えば、半導体スイッチ）の回路構成を用いるベースライン電圧電源駆動スイッチングＬＥＤセル５１を示している。セル５１の理解を容易にするために、以下のセル５１の動作モードについての説明は、ＬＥＤマトリクスＬ１１乃至ＬＸＹ内の各々のＬＥＤ及び各々のスイッチＳＷ１１乃至ＳＷ１Ｙを含むことに基づいている。しかしながら、実際には、セル５１に基づく電圧電源駆動スイッチングＬＥＤセルのセルデザインは、当業者により理解されるであろうように、ＬＥＤマトリクスＬ１１乃至ＬＸＹのＬＥＤ及びスイッチＳＷ１１乃至ＳＷ１Ｙの何れの構成及び何れの数を有することができる。
【００３０】
図１４に示すようなセル５１の放射モードにおいては、スイッチＳＷ１１乃至ＳＷ１Ｙは閉状態であり、それにより、電流ｉＰＭ１は、入力端子ＩＮ５と、スイッチＳＷ１１乃至ＳＷ１Ｙと、ＬＥＤマトリクスＬ１１乃至ＬＸＹと、出力端子ＯＵＴ２とを通って連続して流れ、それ故、選択されたＬＥＤの色に依存して色の光を放射する。図１５において示されているセル５１の動作不能モードにおいては、スイッチＳＷ１１乃至ＳＷ１Ｙは開状態であり、スイッチＳＷ１１乃至ＳＷ１Ｙは開状態であり、それ故、ＬＥＤマトリクスＬ１１乃至ＬＸＹを通って流れる電流ｉＰＭ１を遅らせ、それにより、ＬＥＤは色の光を放射しない。又、電流ｉＰＭ１は、ＬＥＤ駆動周波数（例えば、２００Ｈｚ）においてスイッチＳＷ１１乃至ＳＷ１Ｙ開状態及び閉状態のためにパルス変調電流を構成し、このような状態は、当業者に理解されるであろうように、従来技術により達成されることができる。代替としてのセル５１の動作の実施形態においては、スイッチＳＷ１１乃至ＳＷ１Ｙは、異なるＬＥＤ駆動周波数において群の状態で動作され又は異なるＬＥＤ駆動周波数において個別に動作されることができる。そのような場合、電流ｉＰＭ１は、可変ＬＥＤ駆動周波数において複数のパルス変調電流を有することが可能である。
【００３１】
スイッチングＬＥＤセル５１の実施形態は、ＬＥＤマトリクスＬ１１乃至ＬＸＹに亘って分配された１つ又はそれ以上の付加スイッチ（例えば、半導体スイッチ）を更に含むことができ、それにより、光の色レベル及び／又は色強度は、図１４及び１５に示されているスイッチＳＷ１１乃至ＳＷ１Ｙの開状態及び閉状態に対する付加スイッチの開状態及び閉状態に依存して変えられる。そのような複数のＬＥＤの実施形態は、同じ又は異なるＬＥＤ駆動周波数においてスイッチＳＷ１１乃至ＳＷ１Ｙ及びＳＷ３並びに付加スイッチを動作することが可能である。電流ｉＰＭ２は、付加スイッチが異なるＬＥＤ駆動周波数で個別に動作される又は異なるＬＥＤ駆動周波数で複数の群において動作される実施形態における種々のＬＥＤ駆動周波数における複数のパルス変調電流を有することが可能である。
【００３２】
図１６及び１７は、ＬＥＤマトリクスＬ１１乃至ＬＸＹに接続されたスイッチＳＷ１１乃至ＳＷ１Ｙ（例えば、半導体スイッチ）の回路構成を用いるベースライン電圧電源駆動スイッチングＬＥＤセル５２を示している。セル５２は、スイッチＳＷ１１乃至ＳＷ１Ｙ及びＬＥＤマトリクスＬ１１乃至ＬＸＹの回路構成に対して直列に接続されたスイッチＳＷ６（例えば、半導体スイッチ）を更に用いる。セル５２の理解を容易にするために、以下のセル５２の動作モードについての説明は、ＬＥＤマトリクスＬ１１乃至ＬＸＹ内の各々のＬＥＤ及び各々のスイッチＳＷ１１乃至ＳＷ１Ｙを含むことに基づいている。しかしながら、実際には、セル５２に基づく電圧電源駆動スイッチングＬＥＤセルのセルデザインは、当業者により理解されるであろうように、ＬＥＤマトリクスＬ１１乃至ＬＸＹのＬＥＤ及びスイッチＳＷ１１乃至ＳＷ１Ｙの何れの構成及び何れの数を有することができる。
【００３３】
図１６に示すようなセル５２の放射モードにおいては、スイッチＳＷ６は閉状態であり、スイッチＳＷ１１乃至ＳＷＸ１は開状態であり、それにより、電流ｉＰＭ１は、入力端子ＩＮ３と、ＬＥＤマトリクスＬ１１乃至ＬＸＹと、出力端子ＯＵＴ３とを通って連続して流れ、それ故、選択されたＬＥＤの色に依存して色の光を放射する。図１７において示されている動作不能モードにおいては、選択されたスイッチＳＷ１１乃至ＳＷＸ１は閉状態であり、それ故、ＬＥＤマトリクスＬ１１乃至ＬＸＹを通って流れる電流ｉＰＭ１を遅らせ、それにより、ＬＥＤは色の光を放射しない。又、電流ｉＰＭ１は、ＬＥＤ駆動周波数（例えば、２００Ｈｚ）においてスイッチＳＷ１１乃至ＳＷＸ１の完全な開状態及び閉状態のためにパルス変調電流を構成し、このような状態は、当業者に理解されるであろうように、従来技術により達成されることができる。代替としてのセル５２の動作の実施形態においては、スイッチＳＷ６及びスイッチＳＷ１１乃至ＳＷＹ１は、異なるＬＥＤ駆動周波数において群の状態で動作され又は異なるＬＥＤ駆動周波数において個別に動作されることができる。そのような場合、電流ｉＰＭ２は、可変ＬＥＤ駆動周波数において複数のパルス変調電流を有することが可能である。
【００３４】
スイッチングＬＥＤセル５２の実施形態は、選択されたＬＥＤに亘って分配された１つ又はそれ以上の付加スイッチ（例えば、半導体スイッチ）を更に含むことができ、それにより、光の色レベル及び／又は色強度は、図１６及び１７に示されているスイッチＳＷ６及びスイッチＳＷ１１乃至ＳＷＸ１の開状態及び閉状態に対する付加スイッチの開状態及び閉状態に依存して変えられる。そのような複数のＬＥＤの実施形態は、同じ又は異なるＬＥＤ駆動周波数においてスイッチＳＷ６及びスイッチＳＷ１１乃至ＳＷＸ１及び付加スイッチを動作することが可能である。電流ｉＰＭ２は、付加スイッチが異なるＬＥＤ駆動周波数で個別に動作される又は異なるＬＥＤ駆動周波数で複数の群において動作される実施形態における種々のＬＥＤ駆動周波数における複数のパルス変調電流を有することが可能である。
【００３５】
図１２乃至１７を参照するに、電圧電源と電圧流電源駆動スイッチングＬＥＤセル５０乃至５２の１つとを用いる、本発明の電圧電源ＬＥＤドライバの数及び構成には制限がない。図１８乃至１９は、本発明の電圧電源ＬＥＤドライバの幾つかの例示としての実施形態を示している。
【００３６】
図１８は、バッテリＢ５、インダクタＬ７、半導体スイッチＱ５、ダイオードＤ６及びコンデンサＣ２の既知の配置を有するＢｏｏｓｔ型コンバータ方式にある電圧電源ＶＳ１を用いている電圧電源ＬＥＤドライバ６０を示している。電圧電源ＶＳ１は、当業者には理解できるであろうように、電力変換周波数（例えば、１００ｋＨｚ）においてスイッチＱ５のゲートへのゲート信号の供給により、従来から動作されている。
【００３７】
ドライバ６０は、スイッチＳＷ１１乃至ＳＷ１４及びＬＥＤＬ１１乃至Ｌ１４の例示としての回路構成を有するセル５１（図１３及び１４）のバージョン５１ａを更に用いている。ＬＥＤＬ１１、ＬＥＤＬ１２、ＬＥＤＬ１３及び／又はＬＥＤＬ１４は、付加スイッチを有することが可能である何れの所望の回路構成における複数のＬＥＤとして実施されることができる。一実施形態においては、ＬＥＤＬ１１は１つ又はそれ以上の赤色ＬＥＤを有し、ＬＥＤＬ１２は緑色ＬＥＤを有し、ＬＥＤＬ１３は青色ＬＥＤを有し、そしてＬＥＤＬ１４は１つ又はそれ以上のアンバーＬＥＤを有する。
【００３８】
セル５１ａは、１つ又はそれ以上のスイッチＳＷ１１乃至ＳＷ１４の選択的動作を有する、セル５１ａの各々の放射モードを有する１５個の放射モードを有し、それにより、電流ｉＰＭ１は１つ又はそれ以上のＬＥＤＬ１１乃至Ｌ１４を通って流れ、それにより、どのＬＥＤＬ１１乃至Ｌ１４が光を放射しているかに依存して、色の光を放射する。セル５１ａの動作不能モードにおいては、スイッチＳＷ１１乃至ＳＷ４１は閉状態であり、それ故、ＬＥＤＬ１１乃至Ｌ１４を通って流れる電流ｉＰＭ１を遅らせ、それにより、ＬＥＤＬ１１乃至Ｌ１４は色の光を放射しない。セル５１ａは、スイッチＳＷ１１乃至ＳＷ１４に選択的に供給される従来の制御信号に依存して、ＬＥＤ駆動周波数（例えば、２００Ｈｚ）において、放射モードの１つと動作不能モードとの間でスイッチングする。代替のセル５１ａの動作モードにおいては、スイッチＳＷ１１乃至ＳＷ１４は、異なるＬＥＤ駆動周波数において個別に動作される又は異なるＬＥＤ駆動周波数において群の状態で動作されることができる。そのような場合、電流ｉＰＭ２は、可変ＬＥＤ駆動周波数において複数のパルス変調電流を有することが可能である。
【００３９】
図１９は、バッテリＢ６、半導体スイッチＱ６、トランスＴ２及びダイオードＤ７の既知の配置を有するＦｌｙｂａｃｋ型コンバータ方式にある電圧電源ＶＳ２を用いている電圧電源ＬＥＤドライバ６１を示している。電圧電源ＶＳ２は、当業者には理解できるであろうように、電力変換周波数（例えば、１００ｋＨｚ）においてスイッチＱ６のゲートへのゲート信号の供給により、従来から動作されている。
【００４０】
ドライバ６１は、スイッチＳＷ６，スイッチＳＷ１１乃至ＳＷ４１及びＬＥＤＬ１１乃至Ｌ４１の例示としての回路構成を有するセル５２（図１６及び１７）のバージョン５２ａを更に用いている。ＬＥＤＬ１１、ＬＥＤＬ２１、ＬＥＤＬ３１及び／又はＬＥＤＬ４１は、付加スイッチを有することが可能である何れの所望の回路構成における複数のＬＥＤとして実施されることができる。一実施形態においては、ＬＥＤＬ１１は１つ又はそれ以上の赤色ＬＥＤを有し、ＬＥＤＬ２１は緑色ＬＥＤを有し、ＬＥＤＬ３１は青色ＬＥＤを有し、そしてＬＥＤＬ４１は１つ又はそれ以上のアンバーＬＥＤを有する。
【００４１】
セル５２ａは、１つ又はそれ以上のスイッチＳＷ１１乃至ＳＷ４１の選択的開状態化及びスイッチＳＷ６の閉状態化を有する、セル５２ａの各々の放射モードを有する１５個の放射モードを有し、それにより、電流ｉＰＭ２は１つ又はそれ以上のＬＥＤＬ１１乃至Ｌ４１を通って流れ、それにより、どのＬＥＤＬ１１乃至Ｌ４１が光を放射しているかに依存して、色の光を放射する。セル５２ａの動作不能モードにおいては、スイッチＳＷ６は開状態であり、スイッチＳＷ１１乃至ＳＷ４１は閉状態であり、それ故、ＬＥＤＬ１１乃至Ｌ４１を通って流れる電流ｉＰＭ２を遅らせ、それにより、ＬＥＤＬ１１乃至Ｌ４１は色の光を放射しない。セル５２ａは、スイッチＳＷ１１乃至ＳＷ４１に選択的に供給される従来の制御信号に依存して、ＬＥＤ駆動周波数（例えば、２００Ｈｚ）において、放射モードの１つと動作不能モードとの間でスイッチングする。代替のセル５２ａの動作モードにおいては、スイッチＳＷ１１乃至ＳＷ４１は、異なるＬＥＤ駆動周波数において個別に動作される又は異なるＬＥＤ駆動周波数において群の状態で動作されることができる。そのような場合、電流ｉＰＭ２は、可変ＬＥＤ駆動周波数において複数のパルス変調電流を有することが可能である。
【００４２】
図２０は、本発明の電流電源ＬＥＤドライバについての多くの実施形態の１つをデザインするためにセルマトリクス３０（１１）乃至３０（ＸＹ）と電流電源ＩＳとを用いるベースライン電流電源ＬＥＤドライバ７０を示している。本発明の電流電源ＬＥＤドライバのドライバデザインは、（１）セルマトリクス３０（１１）乃至３０（ＸＹ）内の１つ又はそれ以上の電流電源駆動スイッチングＬＥＤセル３０の選択、（２）セルマトリクス３０（１１）乃至３０（ＸＹ）から選択された各々のセル３０のＬＥＤデザイン、そして（３）複数のセルの実施形態に対して、セルマトリクス３０（１１）乃至３０（ＸＹ）から選択された複数のセル３０の１つ又はそれ以上の直列接続及び／又は並列接続の選択を有し、ここで、Ｘ≧１及びＹ≧１である。複数のセル３０を用いるドライバの実施形態に対しては、類似する動作電流仕様を有するセル３０は、好適には、直列に接続され、類似する動作電圧仕様を有するセル３０は、好適には、並列に接続される。当業者は、ドライバ７０に基づく電流電源ＬＥＤドライバのドライバデザインには制限がないことを理解するであろう。図２２乃至２５は、ドライバ７０に基づく電流電源ＬＥＤドライバの幾つかの例示としての実施形態を示している。
【００４３】
図２２は、電流電源ＩＳに並列に接続された赤色セル３０Ｒ、緑色セル３０Ｇ及び青色セル３０Ｂを示している。図２３は、電流電源ＩＳに直列に接続された赤色セル３０Ｒ、緑色セル３０Ｇ及び青色セル３０Ｂを示している。図２４は、電流電源ＩＳに直列に接続された赤色セル３０Ｒと緑色セル３０Ｇ及び青色セル３０Ｂの並列接続とを示している。図２５は、電流電源ＩＳに並列に接続された緑色セル３０Ｇ及び青色セル３０Ｂの直列接続と赤色セル３０Ｒとを示している。図２２乃至２５を参照するに、電流電源（例えば、図７乃至１０に示しているＣＳ１乃至ＣＳ４）は、種々のＬＥＤ駆動周波数において電流ＩＰＭ１が複数のパルス変調電流を有することが可能である、種々のＬＥＤ駆動周波数又は同じＬＥＤ駆動周波数におけるそれぞれの放射モードと動作不能モード間の各々のセル３０Ｒ、３０Ｇ及び３０Ｂのスイッチングに依存して、セル３０Ｒ、３０Ｇ及び３０Ｂに対してパルス変調電流ＩＰＭ１を供給する。
【００４４】
図２１は、本発明の電圧電源ＬＥＤドライバについての多くの実施形態の１つをデザインするためにセルマトリクス５０（１１）乃至５０（ＸＹ）と電圧電源ＶＳとを用いるベースライン電圧電源ＬＥＤドライバ８０を示している。本発明の電圧電源ＬＥＤドライバのドライバデザインは、（１）セルマトリクス５０（１１）乃至５０（ＸＹ）内の１つ又はそれ以上の電圧電源駆動スイッチングＬＥＤセル５０の選択、（２）セルマトリクス５０（１１）乃至５０（ＸＹ）から選択された各々のセル５０のＬＥＤデザイン、そして（３）複数のセルの実施形態に対して、セルマトリクス５０（１１）乃至５０（ＸＹ）から選択された複数のセル５０の１つ又はそれ以上の直列接続及び／又は並列接続の選択を有し、ここで、Ｘ≧１及びＹ≧１である。複数のセル５０を用いるドライバの実施形態に対しては、類似する動作電流仕様を有するセル５０は、好適には、直列に接続され、類似する動作電圧仕様を有するセル５０は、好適には、並列に接続される。当業者は、ドライバ８０に基づく電流電源ＬＥＤドライバのドライバデザインには制限がないことを理解するであろう。図２６乃至２９は、ドライバ８０に基づく電圧電源ＬＥＤドライバの幾つかの例示としての実施形態を示している。
【００４５】
図２６は、電圧電源ＶＳに並列に接続された赤色セル５０Ｒ、緑色セル５０Ｇ及び青色セル５０Ｂを示している。図２７は、電圧電源ＶＳに直列に接続された赤色セル３０Ｒ、緑色セル５０Ｇ及び青色セル５０Ｂを示している。図２８は、電圧電源ＶＳに直列に接続された赤色セル５０Ｒと緑色セル５０Ｇ及び青色セル５０Ｂの並列接続とを示している。図２９は、電流電源ＶＳに並列に接続された緑色セル５０Ｇ及び青色セル５０Ｂの直列接続と赤色セル５０Ｒとを示している。図２６乃至２９を参照するに、電流電源（例えば、図１８及び１９に示しているＶＳ１及びＶＳ２）は、種々のＬＥＤ駆動周波数において電流ＩＰＭ１が複数のパルス変調電流を有することが可能である、種々のＬＥＤ駆動周波数又は同じＬＥＤ駆動周波数におけるそれぞれの放射モードと動作不能モード間の各々のセル５０Ｒ、５０Ｇ及び５０Ｂのスイッチングに依存して、セル５０Ｒ、５０Ｇ及び５０Ｂに対してパルス変調電流ＩＰＭ１を供給する。
【００４６】
以上、詳述した本発明の実施形態は好適であると考えられる一方、本発明の主旨及び範囲から逸脱することなく、種々の変形及び修正を実施することができる。本発明の範囲は同時提出の特許請求に記載されていて、同等の意味及び範囲内にある全ての変形はその範囲内に入ることが意図されている。
【図面の簡単な説明】
【００４７】
【図１】電流電源駆動スイッチングＬＥＤセルについての本発明に従った第１ベースラインの実施形態の模式図である。
【図２】電流電源駆動スイッチングＬＥＤセルについての本発明に従った第１ベースラインの実施形態の模式図である。
【図３】電流電源駆動スイッチングＬＥＤセルについての本発明に従った第２ベースラインの実施形態の模式図である。
【図４】電流電源駆動スイッチングＬＥＤセルについての本発明に従った第２ベースラインの実施形態の模式図である。
【図５】電流電源駆動スイッチングＬＥＤセルについての本発明に従った第３ベースラインの実施形態の模式図である。
【図６】電流電源駆動スイッチングＬＥＤセルについての本発明に従った第３ベースラインの実施形態の模式図である。
【図７】単一電流駆動スイッチングＬＥＤセルを用いた電流電源ＬＥＤドライバ回路についての本発明に従った第１実施形態の模式図である。
【図８】単一電流駆動スイッチングＬＥＤセルを用いた電流電源ＬＥＤドライバ回路についての本発明に従った第２実施形態の模式図である。
【図９】単一電流駆動スイッチングＬＥＤセルを用いた電流電源ＬＥＤドライバ回路についての本発明に従った第３実施形態の模式図である。
【図１０】単一電流駆動スイッチングＬＥＤセルを用いた電流電源ＬＥＤドライバ回路についての本発明に従った第４実施形態の模式図である。
【図１１】単一電流駆動スイッチングＬＥＤセルを用いた電流電源ＬＥＤドライバ回路についての本発明に従った第５実施形態の模式図である。
【図１２】電圧電源駆動スイッチングＬＥＤセルについての本発明に従った第１ベースラインの実施形態の模式図である。
【図１３】電圧電源駆動スイッチングＬＥＤセルについての本発明に従った第１ベースラインの実施形態の模式図である。
【図１４】電圧電源駆動スイッチングＬＥＤセルについての本発明に従った第２ベースラインの実施形態の模式図である。
【図１５】電圧電源駆動スイッチングＬＥＤセルについての本発明に従った第２ベースラインの実施形態の模式図である。
【図１６】電圧電源駆動スイッチングＬＥＤセルについての本発明に従った第３ベースラインの実施形態の模式図である。
【図１７】電圧電源駆動スイッチングＬＥＤセルについての本発明に従った第３ベースラインの実施形態の模式図である。
【図１８】単一電流駆動スイッチングＬＥＤセルを用いた電圧電源ＬＥＤドライバ回路についての本発明に従った第１実施形態の模式図である。
【図１９】単一電流駆動スイッチングＬＥＤセルを用いた電圧電源ＬＥＤドライバ回路についての本発明に従った第２実施形態の模式図である。
【図２０】複数の電流駆動スイッチングＬＥＤセルを用いた電流電源ＬＥＤドライバ回路についての本発明に従った第１ベースラインの実施形態の模式図である。
【図２１】複数の電流駆動スイッチングＬＥＤセルを用いた電圧電源ＬＥＤドライバ回路についての本発明に従った第１ベースラインの実施形態の模式図である。
【図２２】図２０に示している電流電源ＬＥＤドライバについての本発明に従った第１実施形態の模式図である。
【図２３】図２０に示している電流電源ＬＥＤドライバについての本発明に従った第２実施形態の模式図である。
【図２４】図２０に示している電流電源ＬＥＤドライバについての本発明に従った第３実施形態の模式図である。
【図２５】図２０に示している電流電源ＬＥＤドライバについての本発明に従った第４実施形態の模式図である。
【図２６】図２１に示している電圧電源ＬＥＤドライバについての本発明に従った第１実施形態の模式図である。
【図２７】図２１に示している電圧電源ＬＥＤドライバについての本発明に従った第２実施形態の模式図である。
【図２８】図２１に示している電圧電源ＬＥＤドライバについての本発明に従った第３実施形態の模式図である。
【図２９】図２１に示している電圧電源ＬＥＤドライバについての本発明に従った第４実施形態の模式図である。
【図１】
2006525664.tif 000002
【図２】
2006525664.tif 000003
【図３】
2006525664.tif 000004
【図４】
2006525664.tif 000005
【図５】
2006525664.tif 000006
【図６】
2006525664.tif 000007
【図７】
2006525664.tif 000008
【図８】
2006525664.tif 000009
【図９】
2006525664.tif 000010
【図１０】
2006525664.tif 000011
【図１１】
2006525664.tif 000012
【図１２】
2006525664.tif 000013
【図１３】
2006525664.tif 000014
【図１４】
2006525664.tif 000015
【図１５】
2006525664.tif 000016
【図１６】
2006525664.tif 000017
【図１７】
2006525664.tif 000018
【図１８】
2006525664.tif 000019
【図１９】
2006525664.tif 000020
【図２０】
2006525664.tif 000021
【図２１】
2006525664.tif 000022
【図２２】
2006525664.tif 000023
【図２３】
2006525664.tif 000024
【図２４】
2006525664.tif 000025
【図２５】
2006525664.tif 000026
【図２６】
2006525664.tif 000027
【図２７】
2006525664.tif 000028
【図２８】
2006525664.tif 000029
【図２９】
2006525664.tif 000030
【国際調査報告】
2006525664.tif 000031
2006525664.tif 000032
2006525664.tif 000033